(57)【要約】【課題】簡単且つ経済的な構成で、患者等の被写体の撮影姿勢に影響されることがなく、種々の撮影部位を容易且つ確実に撮影することを可能にする。【解決手段】放射線画像情報記録読取装置１０は、撮影部１４と、この撮影部１４を昇降可能に保持する昇降部１２と、前記撮影部１４が下降して該撮影部１４と昇降下限位置との距離が所定の値に至る際、前記撮影部１４を一旦停止させる下降停止部７６と、前記停止されている前記撮影部１４を前記昇降下限位置まで下降可能な解除部である下降スイッチ６４ａとを備える。【選択図】図１
2005066097.tif 000002
【特許請求の範囲】
【請求項１】
立位姿勢の患者等の被写体に放射線を照射して該被写体の放射線画像情報を記録する放射線画像情報記録装置であって、
前記被写体が配置されて該被写体の放射線画像情報を撮影する撮影部と、
前記撮影部を昇降可能に保持する昇降部と、
前記撮影部が下降して該撮影部と昇降下限位置との距離が所定の値に至る際、前記撮影部を一旦停止させる下降停止部と、
前記停止されている前記撮影部を前記昇降下限位置まで下降可能な解除部と、
を備えることを特徴とする放射線画像情報記録装置。
【請求項２】
請求項１記載の放射線画像情報記録装置において、前記下降停止部は、前記撮影部と前記昇降下限位置との距離が所定の値以下になる際、外部に表示するための表示手段を備えることを特徴とする放射線画像情報記録装置。
【請求項３】
請求項１又は２記載の放射線画像情報記録装置において、前記撮影部の下部には、該撮影部が下降する際に前記被写体に接触したことを検出する接触検出スイッチが設けられることを特徴とする放射線画像情報記録装置。
【発明の詳細な説明】
【技術分野】
【０００１】
本発明は、立位姿勢の患者等の被写体に放射線を照射して該被写体の放射線画像情報を記録する放射線画像情報記録装置に関する。
【背景技術】
【０００２】
従来より、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）が知られている。この種の蓄積性蛍光体を利用して、人体等の被写体の放射線画像情報を写真感光材料等に再生させる、あるいはＣＲＴ等に可視像として出力させるシステムが採用されている。
【０００３】
上記のシステムでは、具体的には、人体等の被写体の放射線画像情報をシート状の蓄積性蛍光体層を備えた蓄積性蛍光体シートに一旦記録（撮影）する撮影部と、この蓄積性蛍光体シートにレーザ光等の励起光を照射することにより輝尽発光光を発生させ、この輝尽発光光を光電的に読み取る読取部と、読み取り後に前記蓄積性蛍光体シートに残存する放射線画像情報を消去する消去部とを組み込むとともに、該蓄積性蛍光体シートを装置内に収容した、いわゆる、ビルトイン方式の放射線画像情報記録読取装置（放射線画像情報記録装置）が採用されている。
【０００４】
この種の放射線画像情報記録読取装置では、操作性の向上や多用途性を図るために、例えば、立位撮影型の撮影部や臥位撮影型の天板を昇降移動させる構成が採用されている。ところが、患者が椅子等に座った状態で撮影を行う際に、撮影部や天板に対して水平に引き出された受像器が前記患者の足に干渉し、該足が挟まれるおそれがある。
【０００５】
そこで、例えば、特許文献１に開示されているように、被験者を載せる天板、前記被験者の放射線映像を受像する受像器、前記天板に対して前記受像器の位置を可変にする昇降機構、前記天板及び前記受像器の位置に応じて、前記昇降機構の動作を制限する手段を有する放射線撮影装置が知られている。これにより、受像器が昇降動作により被験者と干渉することや、器材や受像器等に損傷が発生することを防止することができる、としている。
【０００６】
【特許文献１】特開２００１−２１２１２３号公報（図３）
【発明の開示】
【発明が解決しようとする課題】
【０００７】
ところで、立位姿勢の患者に放射線を照射する装置では、椅子等に座った患者の放射線画像情報を記録する際に、上記の特許文献１と同様の構成を採用することにより、撮影部が前記患者の足と干渉することを阻止することができる。しかしながら、患者の下肢撮影等を行う場合には、撮影部をさらに下降させる必要があり、前記患者の足先が前記撮影部と床面との間に挟まれてしまうという問題がある。
【０００８】
その際、撮影部の底面に検出スイッチを設けることが考えられるが、患者の足先等が挟まれることを確実に阻止するためには、前記撮影部の底面全面に複数の検出スイッチを配設しなければならない。従って、構造が相当に複雑化してしまい、経済的ではないという問題がある。
【０００９】
本発明はこの種の問題を解決するものであり、簡単且つ経済的な構成で、患者等の被写体の撮影姿勢に影響されることがなく、種々の撮影部位を容易且つ確実に記録することが可能な放射線画像情報記録装置を提供することを目的とする。
【課題を解決するための手段】
【００１０】
本発明に係る放射線画像情報記録装置では、立位姿勢の患者等の被写体が配置されて該被写体の放射線画像情報を撮影する撮影部と、前記撮影部を昇降可能に保持する昇降部と、前記撮影部が下降して該撮影部と昇降下限位置との距離が所定の値に至る際、前記撮影部を一旦停止させる下降停止部と、前記停止されている前記撮影部を前記昇降下限位置まで下降可能な解除部とを備えている。
【００１１】
また、下降停止部は、撮影部と昇降下限位置との距離が所定の値以下になる際、外部に表示するための表示手段を備えている。この表示手段としては、例えば、音声や表示灯の点灯又は点滅等を使用することができる。
【００１２】
さらに、撮影部の下部には、撮影部が下降する際に被写体に接触したことを検出する接触検出スイッチが設けられる。この接触検出スイッチは、例えば、椅子等に座っている患者の足に接触したことを検出することができる。
【発明の効果】
【００１３】
本発明によれば、撮影部が下降して所定の高さ位置に至ると、下降停止部を介して前記撮影部が一旦停止されるため、ユーザは、該撮影部が被写体に干渉するおそれがあることを確実に把握することができる。これにより、ユーザに注意を促すことができ、以後の撮影部の下降操作が慎重に遂行され、簡単且つ経済的な構成で、被写体が撮影部と床面との間に挟まれることを有効に阻止することが可能になる。
【００１４】
また、音声や表示灯の点灯又は点滅等により表示する表示手段を使用することにより、撮影部と被写体とが干渉するおそれがあることを、ユーザに対して一層確実に知らせることができる。
【００１５】
さらにまた、撮影部の下部に接触検出スイッチが設けられるため、立位撮影の他、座位撮影等が良好に行われ、種々の要請に対応して汎用性の向上が図られる。
【発明を実施するための最良の形態】
【００１６】
図１は、本発明の実施形態に係る放射線画像情報記録読取装置（放射線画像情報記録装置）１０の斜視説明図であり、図２は、前記放射線画像情報記録読取装置１０の概略構成図である。
【００１７】
放射線画像情報記録読取装置１０は、鉛直方向（矢印Ａ方向）に延在する昇降部１２を備え、この昇降部１２には、撮影部１４が撮影部昇降機構１６を介して昇降自在に支持されている。撮影部昇降機構１６は、図２に示すように、昇降部１２の内部下端に装着される昇降モータ１８を備え、この昇降モータ１８の駆動軸がギアヘッド２０に連結されるとともに、前記ギアヘッド２０にボールねじ２２の下端部が連結される。
【００１８】
ボールねじ２２は、昇降部１２内を矢印Ａ方向（鉛直方向）に延在しており、前記昇降部１２の上端部に回転自在に支持されている。昇降部１２内には、ボールねじ２２に平行してガイドレール２４が設けられる一方、撮影部１４には、前記ボールねじ２２が螺合するナット部２６及び前記ガイドレール２４に係合するガイド部２７が設けられる。
【００１９】
撮影部１４を構成する筐体２８の前部には、人体等の被写体３０が位置決めされる撮影台３２が設けられる。撮影台３２には、放射線源３４から被写体３０を介して曝射されるＸ線の線量を計測して曝射量を制御するフォトタイマ３６と、散乱線除去用のグリッド３８とが配設される。
【００２０】
筐体２８の内部には、グリッド３８に対して近接する位置（実線で示す。）と、前記グリッド３８から離間する位置（二点鎖線で示す。）との間で、矢印Ｂ方向に移動可能な蓄積性蛍光体シートＩＰが配設される。蓄積性蛍光体シートＩＰは、筐体２８の略中央部に配設された蓄積性蛍光体シート駆動モータ３９によって移動される。
【００２１】
筐体２８の内部には、二点鎖線で示す位置に配置された蓄積性蛍光体シートＩＰの画像記録面に沿って上下方向に移動する読取消去ユニット４０が配設される。読取消去ユニット４０は、蓄積性蛍光体シートＩＰに対して励起光Ｌを照射し、蓄積された放射線エネルギの強度に応じて前記蓄積性蛍光体シートＩＰから出力される輝尽発光光Ｒを光電的に読み取る読取部４２と、放射線画像情報の読み取られた前記蓄積性蛍光体シートＩＰに対して消去光を照射し、残存する放射線エネルギを除去する消去部４４とを備える。
【００２２】
読取消去ユニット４０は、移動方向（副走査方向）と直交する方向（主走査方向）に長尺に構成され、両端部が上下方向に延在する搬送ベルト４６ａ、４６ｂに連結されている。搬送ベルト４６ａ、４６ｂは、筐体２８内の略中央部に配設される読取消去ユニット駆動モータ４８により駆動され、読取消去ユニット４０を上下に移動させる。
【００２３】
読取部４２は、励起系を構成するレーザダイオード５０と、複数のＣＣＤラインセンサ５２とを備える。消去部４４は、蓄積性蛍光体シートＩＰに消去光を照射して該蓄積性蛍光体シートＩＰに残存している放射線エネルギを放出させるため、前記蓄積性蛍光体シートＩＰの幅方向以上の長さを有する複数の蛍光灯５４を備える。筐体２８の下部には、撮影部１４が下降する際に患者等の被写体３０に接触したことを検出する接触検出スイッチ５６が設けられる。
【００２４】
図１に示すように、昇降部１２の上部には、操作パネル５８が装着される。この操作パネル５８は、放射線画像情報記録読取装置１０の起動を行うとともに、患者情報、撮影サイズ表示及び選択、ユーティリティ操作等を表示する機能を有する。操作パネル５８からケーブル６０を介してリモコン式の昇降スイッチ部６２が接続され、この昇降スイッチ部６２は、撮影部１４を昇降させるための下降スイッチ６４ａ及び上昇スイッチ６４ｂを備える。
【００２５】
昇降部１２には、撮影部１４が昇降上限位置まで上昇したことを検出する上限位置検出センサ７０と、前記撮影部１４が昇降下限位置まで下降したことを検出する下限位置検出センサ７２と、該撮影部１４が前記昇降下限位置から上方に所定の距離、例えば、約１００ｍｍの位置に至ることを検出する下位置検出センサ７４とが設けられる。
【００２６】
この下位置検出センサ７４は、下降停止部７６を構成しており、前記下降停止部７６は、前記下位置検出センサ７４により撮影部１４と昇降下限位置との距離が所定の値（約１００ｍｍ）に至る際、前記撮影部１４を一旦停止させる機能を有する。
【００２７】
撮影部１４は、下降スイッチ６４ａが操作されることにより、下位置検出センサ７４により検出された位置から、さらに昇降下限位置まで下降可能である。下降スイッチ６４ａは、撮影部１４の停止状態を解除するため解除部を構成している。
【００２８】
このように構成される放射線画像情報記録読取装置１０の動作について、以下に説明する。
【００２９】
先ず、図２に示すように、放射線画像情報の記録を行うべく、被写体３０が放射線撮影位置に移動すると、技師等が昇降スイッチ部６２（図１参照）を操作することによって、撮影部１４を昇降させる等の位置合わせが行われる。さらに、被写体３０が撮影台３２に対応して配置された状態で、技師等によって放射線源３４が駆動される（図２参照）。この放射線源３４から出力される放射線が、被写体３０を透過して蓄積性蛍光体シートＩＰに到達することにより、前記蓄積性蛍光体シートＩＰに放射線画像情報が記録される。
【００３０】
被写体３０の放射線画像情報が蓄積性蛍光体シートＩＰに記録された後、前記蓄積性蛍光体シートＩＰは、蓄積性蛍光体シート駆動モータ３９の駆動作用下に読取消去位置（図２中、二点鎖線の位置）に移動する。そこで、読取消去ユニット駆動モータ４８が駆動され、読取消去ユニット４０は、搬送ベルト４６ａ、４６ｂを介して副走査方向（鉛直上方向）に移動する（図３参照）。
【００３１】
その際、読取部４２を構成するレーザダイオード５０が駆動され、前記レーザダイオード５０から出力される励起光Ｌが、蓄積性蛍光体シートＩＰに矢印Ａ方向に略直交する主走査方向に沿って照射される。このため、放射線画像情報が蓄積された蓄積性蛍光体シートＩＰは、励起光Ｌによってニ次元的に走査され、この蓄積性蛍光体シートＩＰから前記放射線画像情報に応じた輝尽発光光Ｒが発生する。
【００３２】
輝尽発光光Ｒは、ＣＣＤラインセンサ５２に入射され、この輝尽発光光Ｒが電気信号に変換されて蓄積性蛍光体シートＩＰの放射線画像情報が光電的に読み取られる。そして、読取消去ユニット４０が昇降上限位置に至ることにより、放射線画像情報の読み取り処理が終了する（図３中、実線の位置参照）。
【００３３】
次いで、放射線画像情報の読み取りが終了した蓄積性蛍光体シートＩＰは、読取消去ユニット駆動モータ４８が駆動されることにより、鉛直上方向に移動して消去位置に配置される（図４中、二点鎖線の位置から実線の位置参照）。この状態で、蓄積性蛍光体シート駆動モータ３９が前記とは逆方向に駆動され、読取消去ユニット４０が鉛直下方向に移動する。
【００３４】
その際、消去部４４を構成する蛍光灯５４から消去光が照射される。従って、蓄積性蛍光体シートＩＰの画像記録面全面に残存する放射線エネルギの放出が行われる。さらに、読取消去ユニット駆動モータ４８が駆動されることにより、蓄積性蛍光体シートＩＰは、記録位置（図２中、実線参照）に移動して次の撮影に供されることになる。
【００３５】
ところで、放射線画像情報記録読取装置１０は、図２に示すように、立位姿勢の被写体３０の胸部撮影を行う他、例えば、下肢撮影を行う場合がある。その際、技師等が昇降スイッチ部６２の下降スイッチ６４ａを操作して、撮影部１４を床面近傍まで下降させようとする。
【００３６】
ここで、本実施形態では、昇降部１２に対し下限位置検出センサ７２の上方に位置して下位置検出センサ７４が装着されている。この下位置検出センサ７４は、撮影部１４の底部と、昇降下限位置（又は床面位置）との距離が、所定の値Ｈ（約１００ｍｍ）となる位置に設定されている（図５参照）。このため、技師等が下降スイッチ６４ａを操作して撮影部１４を下降させる際、下位置検出センサ７４が前記撮影部１４を検出すると、下降停止部７６の作用下に該撮影部１４の下降が一旦停止される。
【００３７】
従って、技師等は、撮影部１４が、例えば、被写体３０の足先３０ａに干渉するおそれがあることを確実に把握することができる。これにより、技師等に注意を促すことができ、簡単且つ経済的な構成で、被写体３０が撮影部１４と床面との間に挟まれることを阻止することが可能になるという効果が得られる。
【００３８】
下降停止部７６により撮影部１４が所定の高さ位置に一旦停止された後、技師等が解除部である下降スイッチ６４ａを操作すると、前記撮影部１４の停止状態が解除され、該撮影部１４は、下降動作を再開することができる。従って、技師等は、被写体３０が撮影部１４と床面とに挟まれることがないように十分に注意して操作することができ、前記被写体３０の下肢撮影等が良好且つ正確に遂行されるという利点がある。
【００３９】
また、放射線画像情報記録読取装置１０では、図６に示すように、被写体３０が椅子８０に座った状態で胸部撮影等を行う場合がある。その際、撮影部１４の下部には、接触検出スイッチ５６が設けられており、この接触検出スイッチ５６が被写体３０の足３０ｂに接触すると、該撮影部１４の下降が停止する。従って、被写体３０の足３０ｂには、撮影部１４を介して必要以上に荷重が付与されることがなく、前記被写体３０の負担軽減が容易に図られる。
【００４０】
なお、本実施形態では、撮影部１４が昇降下限位置から所定の距離Ｈに至る際に、下降停止部７６を介して前記撮影部１４の下降が一旦停止されるように構成されているが、これに限定されるものではない。
【００４１】
例えば、撮影部１４の下降停止動作に並行して警告音あるいは音声や、ランプの点灯又は点滅等を行うことにより、技師等に撮影部１４が所定の高さ位置に至ったことを知らせることができる。また、撮影部１４が所定の高さに至ったことを下位置検出センサ７４で検出した後、前記撮影部１４の下降速度を遅くするように制御してもよい。
【図面の簡単な説明】
【００４２】
【図１】本発明の実施形態に係る放射線画像情報記録読取装置の斜視説明図である。
【図２】前記放射線画像情報記録読取装置の概略構成図である。
【図３】蓄積性蛍光体シートの放射線画像情報を読み取る際の動作説明図である。
【図４】前記蓄積性蛍光体シートに残存する放射線画像情報を消去する際の動作説明図である。
【図５】前記放射線画像情報記録読取装置を構成する撮影部が所定の高さ位置に至る際の動作説明図である。
【図６】被写体が座った姿勢で胸部撮影を行う際の動作説明図である。
【符号の説明】
【００４３】
１０…放射線画像情報記録読取装置    １２…昇降部
１４…撮影部                        １６…撮影部昇降機構
２８…筐体                          ３０…被写体
３２…撮影台                        ３９…蓄積性蛍光体シート駆動モータ
４０…読取消去ユニット              ４２…読取部
４４…消去部                        ４８…読取消去ユニット駆動モータ
５６…接触検出スイッチ              ５８…操作パネル
６２…昇降スイッチ部                ６４ａ…下降スイッチ
６４ｂ…上昇スイッチ                ７０…上限位置検出センサ
７２…下限位置検出センサ            ７４…下位置検出センサ
７６…下降停止部                    ＩＰ…蓄積性蛍光体シート
【図１】
2005066097.tif 000003
【図２】
2005066097.tif 000004
【図３】
2005066097.tif 000005
【図４】
2005066097.tif 000006
【図５】
2005066097.tif 000007
【図６】
2005066097.tif 000008